(57)【要約】      （修正有）【課題】樹脂製環状綴じ具が不要で、かつ低製造コストの卓上カレンダーを提供する。【解決手段】厚紙を所要の展開形状に裁断し、これを折り畳んで立体形状に組み立てることによりスタンドフレームとする。該スタンドフレームの前面フレーム９部分に、暦２４その他の任意の文字や図柄を表示したカレンダー紙葉２３を束ねて差し込んで収納する。【選択図】図１
0003152941.tif 000002
【実用新案登録請求の範囲】
【請求項１】
厚紙を、下端部から所定の高さの位置における中央部に後記スタンド部における差込片の差込用切込みを設けると共に、両側部における下端部から所定の高さの位置に後記フレーム部にける差込片の差込用切込みを設けてなる所定の大きさを有する方形の基板部の両側部に、夫々折目線を介して所要幅のフレーム側部を連成すると共に、該フレーム側部の外側に折目線を介してフレーム前部を連成し、更に該フレーム前部の下側に折目線を介して前記フレーム側部と同一幅のフレーム底部を連成すると共に該フレーム底部の下側に折目線を介して連結部を連成し、該連結部の下側に折目線を介して差込片を連成する一方、前記基板部の下端部に折目線を介してスタンド底部を連成すると共に、該スタンド底部の下側に折目線を介してスタンド支持部を連成し、該スタンド支持部の下側に折目線を介して差込片を連成してなる展開形状に裁断し、これを折り畳んで立体形状に組み立てることによりスタンドフレームとなし、該スタンドフレームの前面フレーム部分にカレンダー紙葉を差し込んで収納することを特徴とする卓上カレンダー。
【考案の詳細な説明】
【技術分野】
【０００１】  本考案は卓上カレンダーに関するものである。
【背景技術】
【０００２】  卓上カレンダーは、一般的に特許文献１に示す如き形態のものが多い。図１１には該特許文献１に示す卓上カレンダーを示しており、該卓上カレンダー１００は、厚紙を側断面三角形状に組み立てたスタンド部１０１の前面にカレンダー紙葉１０２，１０２，１０２・・・の束を重ね、これらスタンド部１０１とカレンダー紙葉１０２，１０２，１０２・・・の夫々の頂部に列設した綴じ穴１０３，１０３，１０３・・・に、樹脂製環状綴じ具１０４，１０４，１０４・・・を嵌め、もってスタンド部１０１の前面に手めくり可能にカレンダー紙葉１０２，１０２，１０２・・・を取り付けてなるものである。【０００３】  ところで、図示の如き卓上カレンダーは、宣伝広告用の所謂販促品として用いられることが多い。そして、斯かる場合には、現実的にこれを用いる注文者からカレンダー製造業者に対して厳しく低価格での提供を要求されることが多い。【０００４】  このような状況の中において、製造業者が困ることは、従来の卓上カレンダーが、上記の如く樹脂製環状綴じ具１０４を必要とし、そしてこれがこの種の製品の材料としては高価である上に、製品一個あたりにおいて用いる個数も多く、よって製品一個あたりのコストに占める割合が高過ぎることである。したがって、製造業者にとって、注文者から低価格での提供を要求されている中で、このように製造上における高コスト化が避けられなかったことが、利益を圧迫する大きな原因となっていた。
【先行技術文献】
【特許文献】
【０００５】
【特許文献１】実開平２−９９６７１号公報
【考案の概要】
【考案が解決しようとする課題】
【０００６】  本考案は上記の点に鑑みなされたものであって、従来の卓上カレンダーにおいて用いられていた樹脂製環状綴じ具を不要として製造コストを軽減し、もって製造業者における利益率の大幅な向上を図ることができるようになした卓上カレンダーを提供しようとするものである。
【課題を解決するための手段】
【０００７】  而して、本考案の要旨とするところは、厚紙を、下端部から所定の高さの位置における中央部に後記スタンド部における差込片の差込用切込みを設けると共に、両側部における下端部から所定の高さの位置に後記フレーム部にける差込片の差込用切込みを設けてなる所定の大きさを有する方形の基板部の両側部に、夫々折目線を介して所要幅のフレーム側部を連成すると共に、該フレーム側部の外側に折目線を介してフレーム前部を連成し、更に該フレーム前部の下側に折目線を介して前記フレーム側部と同一幅のフレーム底部を連成すると共に該フレーム底部の下側に折目線を介して連結部を連成し、該連結部の下側に折目線を介して差込片を連成する一方、前記基板部の下端部に折目線を介してスタンド底部を連成すると共に、該スタンド底部の下側に折目線を介してスタンド支持部を連成し、該スタンド支持部の下側に折目線を介して差込片を連成してなる展開形状に裁断し、これを折り畳んで立体形状に組み立てることによりスタンドフレームとなし、該スタンドフレームの前面フレーム部分にカレンダー紙葉を差し込んで収納することを特徴とする卓上カレンダーにある。
【考案の効果】
【０００８】  本考案は上記の如き構成であり、厚紙を所要の展開形状に裁断し、これを折り畳んで立体形状に組み立てることによりスタンドフレームとなし、該スタンドフレームの前面フレーム部分にカレンダー紙葉を差し込んで収納するようになしたものであるから、従来の卓上カレンダーにおいて用いられていた樹脂製環状綴じ具を全く用いないものである。そして、このように樹脂製環状綴じ具を用いないことにより製造コストを大幅に軽減し、もって製造業者における利益率の大幅な向上を図ることができるものである。【０００９】  また、スタンドフレームは糊等の接着剤を用いないで立体形状に組み立てることができるから、接着に要する材料費と手間が不要であり、スピーディーな組み立てが可能である。
【図面の簡単な説明】
【００１０】
【図１】本考案に係る卓上カレンダーの斜視図である。
【図２】スタンドフレームの前面側から看た斜視図である。
【図３】スタンドフレームの背面側から看た斜視図である。
【図４】スタンドフレームの裁断した状態の展開平面図である。
【図５】スタンドフレームの組立工程説明図であり、第１工程を示すものである。
【図６】スタンドフレームの組立工程説明図であり、第２工程を示すものである。
【図７】スタンドフレームの組立工程説明図であり、第３工程を示すものである。
【図８】スタンドフレームの組立工程説明図であり、第４工程を示すものである。
【図９】スタンドフレームの組立工程説明図であり、第５工程を示すものである。
【図１０】スタンドフレームの組立工程説明図であり、最終工程を示すものである。
【図１１】従来の卓上カレンダーの斜視図である。
【考案を実施するための形態】
【００１１】    以下、本考案を実施するための形態について、図面を参照して説明する。
【００１２】  図１乃至図１０において、１は本考案の実施形態に係る卓上カレンダーである。また、該卓上カレンダー１は、後記スタンドフレームとカレンダー紙葉とからなるものである。
【００１３】  ２はスタンドフレームである。また、該スタンドフレーム２は、厚紙を、下端部から所定の高さの位置における中央部に後記スタンド部における差込片の差込用切込み３を設けると共に、両側部における下端部から所定の高さの位置に後記フレーム部にける差込片の差込用切込み４，４を設けてなる所定の大きさを有する方形の基板部５の両側部に、夫々折目線６，６を介して所要幅のフレーム側部７，７を連成すると共に、該フレーム側部７，７の外側に折目線８，８を介してフレーム前部９，９を連成し、更に該フレーム前部９，９の下側に折目線１０，１０を介して前記フレーム側部７，７と同一幅のフレーム底部１１，１１を連成すると共に該フレーム底部１１，１１の下側に折目線１３，１３を介して連結部１４，１４を連成し、該連結部１４，１４の下側に折目線１５，１５を介して差込片１６，１６を連成する一方、前記基板部５の下端部に折目線１７を介してスタンド底部１８を連成すると共に、該スタンド底部１８の下側に折目線１９を介してスタンド支持部２０を連成し、該スタンド支持部２０の下側に折目線２１を介して差込片２２を連成してなる展開形状に裁断し、これを折り畳んで立体形状に組み立てることによりスタンドフレームとなしたものである。
【００１４】  また、該スタンドフレーム２は、以下の工程により組み立てるものである。
先ず、図５に示す如く、折目線８，８において左右のフレーム前部９，９を前面側に折り曲げて重ねる。次に、図６に示す如く、折目線６，６において左右のフレーム側部７，７を前面側に折り立てる。次に、図７に示す如く、全体を裏返し、この状態において折目線１０，１０においてフレーム底部１１，１１を背面側に折り曲げ、更に折目線１３，１３において連結部１４，１４を上側に向けて折り曲げる。そして、図８に示す如く、差込片１６，１６を前記差込片の差込用切込み４，４に夫々差し込み、更に該差込片１６，１６を折目線１５，１５において下側に向けて折り曲げる。これによりフレーム部が完成する。
【００１５】  次に、図９に示す如く、折目線１７においてスタンド底部１８を背面側に折り曲げる。そして、更に図１０に示す如く、折目線１９においてスタンド支持部２０を前部側に向けて折り返し、その端部の差込片２２を前記差込片の差込用切込み３に差し込み、折目線２１において該差込片２２を下側に向けて折り曲げるものである。これによりスタンド部が完成する。以上によりスタンドフレーム２の組み立ては完了する。尚、斯かる組立工程については、適宜その順序を違えるようにしてもよい。
【００１６】  ２３，２３，２３・・・は方形のカレンダー紙葉であり、暦２４とその他の任意の文字や図柄（図示せず。）を表示してなるものである。そして、該カレンダー紙葉２３，２３，２３・・・は、所定枚数を束ね、前記スタンドフレーム２の前面フレーム部分に差し込んで収納するものである。
【００１７】  上記実施形態は、厚紙を所要の展開形状に裁断し、これを折り畳んで立体形状に組み立てることによりスタンドフレーム２となし、該スタンドフレーム２の前面フレーム部分にカレンダー紙葉２３，２３，２３・・・を束ねて差し込んで収納するようになしたものであるから、従来の卓上カレンダーにおいて用いられていた樹脂製環状綴じ具を全く用いないものである。そして、このように樹脂製環状綴じ具を用いないことにより製造コストを大幅に軽減し、もって製造業者における利益率の大幅な向上を図ることができるものである。また、スタンドフレーム２は糊等の接着剤を用いないで立体形状に組み立てることができるから、接着に要する材料費と手間が不要であり、スピーディーな組み立てが可能である。
【符号の説明】
【００１８】１  卓上カレンダー
２  スタンドフレーム
３  差込片の差込用切込み
４，４  差込片の差込用切込み
５  基板部
６，６  折目線
７，７  フレーム側部
８，８  折目線
９，９  フレーム前部
１０，１０  折目線
１１，１１  フレーム底部
１３，１３  折目線
１４，１４  連結部
１５，１５  折目線
１６，１６  差込片
１７，１７  折目線
１８  スタンド底部
１９  折目線
２０  スタンド支持部
２１  折目線
２２  差込片
２３，２３，２３  カレンダー紙葉
２４  暦
【図１】
0003152941.tif 000003
【図２】
0003152941.tif 000004
【図３】
0003152941.tif 000005
【図４】
0003152941.tif 000006
【図５】
0003152941.tif 000007
【図６】
0003152941.tif 000008
【図７】
0003152941.tif 000009
【図８】
0003152941.tif 000010
【図９】
0003152941.tif 000011
【図１０】
0003152941.tif 000012
【図１１】
0003152941.tif 000013